(57)【要約】【課題】  ＬＥＤ発光部を用いて高層建築物を下方から照明するライトアップ用に適した照明装置を提供する。【解決手段】  照明装置１０は、パラボラ曲面を有する反射面１７と、反射面１７に主光軸を向けて配置されたＬＥＤ発光部１２と、ＬＥＤ発光部１２の基板２５の裏面に沿って形成された流路２１とを備える。【選択図】図２
2011181241.tif 000002
【特許請求の範囲】
【請求項１】
パラボラ曲面を有する反射面と、
前記反射面に主光軸を向けて配置されたＬＥＤ発光部と、
前記ＬＥＤ発光部に対して前記反射板の腑仰角を調整する調整部とを備える照明装置。
【請求項２】
請求項１に記載の照明装置において、
前記反射板の縁部近傍から反射光の照射方向に対して平行に配置され、グレアを遮光する板状の遮光具を有し、
前記調整部が、前記反射面および前記遮光具を一体的に調整可能である照明装置。
【発明の詳細な説明】
【技術分野】
【０００１】
本発明は、ＬＥＤ発光部を用いて例えば高層建築物を下方から照明するライトアップ用に適用される照明装置に関する。
【背景技術】
【０００２】
従来よりＬＥＤ発光部の主光軸を反射面に向けた照明装置が知られている（例えば、特許文献１参照）。
【先行技術文献】
【特許文献】
【０００３】
【特許文献１】特開２００８−２２６７８８号公報（図２、請求項１）
【発明の概要】
【発明が解決しようとする課題】
【０００４】
夜間、高層建築物を下方から照明するライトアップ用、あるいは高層建築物を上方から下方に向けて照明するライトダウン用や、建築物に対してスポット照明を行うスポット照明用の照明装置は、遠方まで平行光を照射できることが求められている。
しかしながら、特許文献１は、車両用前照灯を前提としており、その配光は光軸に対して一定の広がりを有する構造であり、前述した用途に適さない。
【０００５】
本発明は、前述した課題を解決するためになされたものであり、その目的は、ＬＥＤ発光部を用いて例えば高層建築物を下方から照明するライトアップ用に適した照明装置を提供することにある。
【課題を解決するための手段】
【０００６】
本発明に係る照明装置は、パラボラ曲面を有する反射面と、反射面に主光軸を向けて配置されたＬＥＤ発光部と、ＬＥＤ発光部に対して反射板の腑仰角を調整する調整部とを備える。
【０００７】
本発明に係る照明装置は、反射板の縁部近傍から反射光の照射方向に対して平行に配置され、グレアを遮光する板状の遮光具を有し、調整部が、反射面および遮光具を一体的に調整可能である。
【発明の効果】
【０００８】
本発明の照明装置によれば、ＬＥＤ発光部を用いて例えば高層建築物を下方から照明するライトアップ用に適した照明装置を提供できるという効果を有する。
【図面の簡単な説明】
【０００９】
【図１】本発明に係る一実施形態の照明装置の蓋を開けた状態の斜め上方から視た外観斜視図
【図２】図１の照明装置の縦断面図
【図３】図１の照明装置の反射板と反射板取付部材との平面図
【図４】図１の照明装置の調整部による調整前の縦断面図
【図５】図１の照明装置の調整部による調整後の縦断面図
【発明を実施するための形態】
【００１０】
以下、本発明の一実施形態に係る照明装置について図面を参照して説明する。
本発明の一実施形態である照明装置１０は、箱体１１と、複数のＬＥＤ発光部１２と、複数の反射板１３と、透光板１５を有する蓋１４とを備えるライトアップ用照明装置である。
【００１１】
図１に示すように、箱体１１は、厚みの薄いアルミニウムダイカスト製板部材をプレス成形することにより上方を開放して成形されており、ＬＥＤ発光部（図２参照）１２および反射板１３を収容している。蓋１４の端部は、箱体１１の端部にヒンジ部材１６により連結されている。透光板１５は例えばアクリル樹脂製の板部材である。
図２に示すように、反射板１３は、凹状の半球面形状のパラボラ曲面を有し、アルミニウム蒸着による鏡面状の反射面１７を有する。反射板１３は、反射面１７の底部に半円形状の貫通孔１８を有し、先端部に反射面１７から外れた位置に向かう光を遮蔽するグレアカット面を形成するための略庇状のグレア防止具１９が一体成形されている。貫通孔１８は空気の流路となるとともにＬＥＤ発光部１２への配線通路となる。箱体１１は、複数段のベース板２０を有し、ベース板２０にコ字形状で中空状の空隙２１を有する中板２２がネジ固定されている。ベース板２０には、電源ユニット２３がそれぞれ取り付けられている
【００１２】
反射板１３は、反射板取付部材２４にネジ固定されており、反射板取付部材２４を介してベース板２０にネジ固定されている。ＬＥＤ発光部１２は、不図示の所定のプリント回路を有するＬＥＤ基板２５上にＬＥＤチップ２６が実装されている。ＬＥＤ基板２５は中板２２に熱的に接続されてネジ固定されている。反射板１３においてグレア防止具１９が配置されている縁部近傍には、反射光の照射方向に対して平行に配置されていてグレアカット面を形成するための板状の遮光具２７が取り付けられている。遮光具２７は、光を吸収する例えば黒艶消し等に塗装されている。遮光具２７の先端部には、蓋１４が箱体１１に閉塞された際に透光板１５に当接することにより透光板１５の撓みを防止するための弾性を有する緩衝材２８が取り付けられている。
ベース板２０においてＬＥＤ発光部１２の前方には、反射光の照射方向に対して平行に配置された軸線を有してグレアカット面を形成するための略半円筒形状のグレア防止具２９がネジ固定されている。グレア防止具２９は、光を吸収する例えば黒艶消し等に塗装されている。グレア防止具２９は、被照射対象側からＬＥＤチップ２６が直視されないようにするためと自らの強度の向上を図るための天板３０を有して有底形状（有天形状）に形成されている。
【００１３】
図３に示すように、反射板取付部材２４には一対の反射板１３が取り付けられている。反射板取付部材２４には、側部に調整部の一部を構成する長孔３１および丸孔３２が一対に設けられている。反射板１３は、グレア防止具１９における外縁の９０度間隔の３か所に、直線状に切削されたカット部３３を有する。カット部３３は、複数配列される反射板１３同士の離間距離を小さくする機能を有する。反射板１３は、グレア防止具１９側から複数のネジ３４が反射板取付部材２４にネジ込まれることにより反射板取付部材２４に取り付けられている。
【００１４】
図４、図５に示すように、反射板取付部材２４は、丸孔３２を通じてネジ込まれている調整部の他の一部を構成するネジ３５を支点として、長孔３１を通じてネジ込まれている調整部の残りの一部を構成するネジ３６を緩めることにより、遮光具２７を一体として反射板１３の腑仰角を箱体１１に対して例えば角度θだけ傾動させることができる。これにより、反射板１３の反射面１７による反射光の向きおよび反射光に応じた遮光具２７の向きを変更させることができる。
【００１５】
このような照明装置１０は、電源ユニット２３に与えられた商用電源が電源ユニット２３により直流電流に変換されてＬＥＤ基板２５のプリント回路に与えられることによりＬＥＤチップ２６が発光される。ＬＥＤチップ２６からの光は反射板１３の反射面１７により反射して透光板１５を通じた平行光となって被照射対象に照射される。このとき、反射面１７から外れた位置に向かう光がグレア防止具１９、遮光具２７およびグレア防止具２９により遮蔽されることになる。
【００１６】
従って、この一実施形態の照明装置１０においては、調整部を構成する長孔３１、丸孔３２、ネジ３５、ネジ３６により、反射板１３の反射面１７による反射光の向きおよび反射光に応じた遮光具２７の向きが変更される。
これにより、この一実施形態の照明装置１０においては、設置場所において、被照射対象に対する好ましい方向への光の微調整を簡単に行うことができる。
また、この一実施形態の照明装置１０においては、反射板１３がパラボラ曲面を有する反射面１７を有する。
これにより、この一実施形態の照明装置１０においては、ＬＥＤチップ２６の光指向性により制御できない部分を有効的に使用して光効率を向上させることができる。
そして、この一実施形態の照明装置１０においては、略庇状のグレア防止具１９によりグレアカット面が形成されている。
これにより、この一実施形態の照明装置１０においては、反射板１３の形状が大型化することがなく、反射板１３で制御できないＬＥＤチップ２６からの直接光を確実にグレアカットすることができる。
加えて、この一実施形態の照明装置１０においては、グレア防止具１９が大きくならないように板状の遮光具２７を備える。
これにより、この一実施形態の照明装置１０においては、グレア防止具１９が大きくならずに光の取り出し効率を向上させることができる。
【００１７】
更に、この一実施形態の照明装置１０においては、略半円筒形状のグレア防止具２９が天板３０を有する。
これにより、この一実施形態の照明装置１０においては、被照射対象側からＬＥＤチップ２６が直視されないようにして外観面で良好にすることができるとともに自らの強度の向上を図ることができる。
加えて、この一実施形態の照明装置１０においては、緩衝材２８が樹脂製の透光板１５に当接する。
これにより、この一実施形態の照明装置１０においては、透光板１５の垂れを防止することができる。
また、この一実施形態の照明装置１０においては、グレアカット面を形成する板状の遮光具２７および略半円筒形状のグレア防止具２９が光を吸収する色に設定されている。
これにより、この一実施形態の照明装置１０においては、光を反射させずにグレアを確実にカットすることができる。
【００１８】
そして、この一実施形態の照明装置１０においては、中板２２の空隙２１を通じて空気流路が形成されている。
これにより、この一実施形態の照明装置１０においては、中板２２の空隙２１を通じて流通される空気によりＬＥＤ基板２５を冷却してＬＥＤ発光部１２の特性を保障することができる。
また、この一実施形態の照明装置１０においては、反射板１３の貫通孔１８を通じて空気が流路される。
これにより、この一実施形態の照明装置１０においては、反射板１３の貫通孔１８を通じて循環される空気によりＬＥＤチップ２６を冷却することができる。
更に、この一実施形態の照明装置１０においては、反射板１３の貫通孔１８を通じて配線が配策される。
これにより、この一実施形態の照明装置１０においては、反射板１３の貫通孔１８に配策された配線が、貫通孔１８を循環する空気により冷却されて配線の発熱を抑制することができる。
【００１９】
なお、各実施形態で使用した箱体、ＬＥＤ発光部、蓋等は例示したものに限定するものではなく適宜変更が可能である。
また、本発明は、建築物を下方から照明するライトアップ用にのみ適用可能なものではなく、建築物を上方から下方に向けて照明するライトダウン用や、建築物に対してスポット照明を行うスポット照明用にも適用可能であり、建築物以外にも適用可能である。
【符号の説明】
【００２０】
１０  照明装置
１２  ＬＥＤ発光部
１７  反射面
２７  遮光具
３１  長孔（調整部）
３２  丸孔（調整部）
３５  ネジ（調整部）
３６  ネジ（調整部）
【図１】
2011181241.tif 000003
【図２】
2011181241.tif 000004
【図３】
2011181241.tif 000005
【図４】
2011181241.tif 000006
【図５】
2011181241.tif 000007